(57)【特許請求の範囲】
【請求項１】
電線配策面に間隔を置いてバンド挿通孔とバンド固定部収容孔が開口された固定部材と、
バンド部と、前記バンド部の根本部が固定され、前記電線配策面に配置された電線の外周に巻き付けた前記バンド部をロックできるバンド固定部とを有する結束バンドとを備え、
前記バンド固定部の前記バンド部の根本部が固定される以外の部分が前記バンド固定部収容孔に収容され、前記バンド部が前記固定部材の前記電線配策面の反対面、前記バンド挿通孔、前記電線配策面に配置された前記電線の外周、前記バンド固定部収容孔の経路を通って前記バンド固定部にロックされたことを特徴とする電線固定構造。
【請求項２】
請求項１記載の電線固定構造であって、
前記バンド固定部は、前記バンド部が挿入され、且つ、挿入されたバンド部をロックするバンド係止孔を有し、
前記バンド部の根本部は、前記バンド係止孔の入口側より出口側に近い位置に固定されたことを特徴とする電線固定構造。
【発明の詳細な説明】
【技術分野】
【０００１】
本発明は、結束バンドを用いた電線固定構造に関する。
【背景技術】
【０００２】
結束バンドを用いた電線固定構造は、従来より種々のものが提案されている。第１従来例として、図４や図５に示すものがある。この電線固定構造は、図４及び図５に示すように、電線Ｗが配策される固定部材５０と、この固定部材５０に電線Ｗを拘束する結束バンド６０とを備えている。
【０００３】
固定部材５０には、電線Ｗが配策された両側にバンド挿通孔５１が設けられている。
【０００４】
結束バンド６０は、帯状のバンド部６１と、このバンド部６１をロックするバンド固定部６２とから構成されている。バンド固定部６２は、バンド部６１が挿入され、且つ、挿入されたバンド部６１をロックするバンド係止孔６３を有する。バンド部６１の根本部６１ａは、図６に示すように、バンド係止孔６３の入口６３ａ側に近い外面に固定されている。
【０００５】
結束バンド６０は、バンド部６１が電線Ｗの外周と２箇所のバンド挿通孔５１を通る経路で掛け渡され、バンド固定部６２でロックされている。図４の構造では、バンド固定部６２が電線配策面５０ａ側に配置されている。図５の構造では、バンド固定部６２が電線配策面５０ａの反対面５０ｂ側に配置されている。
【０００６】
第２従来例としては、図７に示すものがある（特許文献１参照）。この電線固定構造は、図７に示すように、電線Ｗが配策される固定部材７０と、この固定部材７０に電線Ｗを拘束する結束バンド６０とを備えている。電線Ｗは、多数の電線の束より構成されている。
【０００７】
固定部材７０は、スライド凹部７１を有する固定本体部（図示せず）と、スライド凹部７１の上部側にスライド挿入された天板７２と、スライド凹部７１の下部側にスライド挿入された底板７３とを有する。天板７２と底板７３が共に配置されないスライド凹部７１によってバンド固定部収容孔７４が形成されている。底板７３が配置され、天板７２が配置されないスライド凹部７１によってバンド挿通孔７５が形成されている。天板７２と底板７３の間の隙間によって連通孔７６が形成されている。
【０００８】
結束バンド６０は、前記第１従来例と同様に、帯状のバンド部６１と、このバンド部６１をロックするバンド固定部６２とから構成されている。結束バンド６０は、バンド固定部６２がバンド固定部収容孔７４に収容されている。バンド部６１は、連通孔７６、バンド挿通孔７５、電線Ｗの外周、バンド固定部収容孔７４を通る経路で掛け渡され、バンド固定部６２でロックされている。
【０００９】
第３従来例としては、図８（ａ）、（ｂ）に示すものがある（特許文献２参照）。この電線固定構造は、図８（ａ）、（ｂ）に示すように、電線Ｗが配策される固定部材８０と、この固定部材８０に電線Ｗを拘束する結束バンド６０とを備えている。
【００１０】
固定部材８０は、電線配策面８０ａに開口するバンド固定部収容溝８１と、電線配策面８０ａ上に突設された電線保持部８２とを有する。
【００１１】
結束バンド６０は、前記第１従来例とほぼ同様に、帯状のバンド部６１と、このバンド部６１をロックするバンド固定部６２とから構成されている。結束バンド６０は、バンド固定部６２がバンド固定部収容溝８１に収容されている。バンド部６１は、電線保持部８２、電線Ｗの外周を通る経路で掛け渡され、バンド固定部６２でロックされている。
【先行技術文献】
【特許文献】
【００１２】
【特許文献１】特開２００５−１６０２２３号公報
【特許文献２】特開平９−５１６２４号公報
【発明の概要】
【発明が解決しようとする課題】
【００１３】
しかしながら、前記第１従来例では、図４及び図５に示す構造共に、バンド固定部６２が仮想線にて示すように移動可能であるため、位置決めされない。電線配策面５０ａ側は他部品が電線Ｗに近接配置されるため、図４の構造では、バンド固定部６２との間で十分なクリアランスを取って他部品を配策する必要がある。そのため、クリアランスを確保できない場合には、結束バンド６０を使用できない。又、図５の構造では、電線配策面５０ａの反対面５０ｂ上にバンド固定部６２が配置される。そのため、電線配策面５０ａの反対面５０ｂ上にバンド固定部６２の全体が突出するため、省スペース化が図れない。
【００１４】
第２従来例及び第３従来例では、バンド固定部６２がバンド固定部収容孔７４やバンド固定部収容溝８１に収容されるため、結束バンド６０が位置決めされ、且つ、省スペース化が図れる。従って、第１従来例のような不具合がない。
【００１５】
しかし、第２従来例では、固定部材７０は固定本体部（図示せず）と天板７２と底板７３の３部材より構成する必要があるため、固定部材７０の構造が複雑であるという問題がある。
【００１６】
また、第３従来例では、固定部材８０にバンド固定部収容溝８１を設ける他に、固定部材８０の電線配策面８０ａ上に電線保持部８２を設ける必要があるため、第２従来例と同様に、固定部材８０の構造が複雑であるという問題がある。
【００１７】
そこで、本発明は、前記した課題を解決すべくなされたものであり、結束バンドが位置決めされ、且つ、省スペース化が図れると共に、固定部材の構造が単純である電線固定構造を提供することを目的とする。
【課題を解決するための手段】
【００１８】
本発明は、電線配策面に間隔を置いてバンド挿通孔とバンド固定部収容孔が開口された固定部材と、バンド部と前記バンド部の根本部が固定され、前記電線配策面に配置された電線の外周に巻き付けた前記バンドをロックできるバンド固定部とを有する結束バンドとを備え、前記バンド固定部の前記バンド部の根本部が固定される以外の部分が前記バンド固定部収容孔に収容され、前記バンド部が前記固定部材の前記電線配策面の反対面、前記バンド挿通孔、前記電線配策面に配置された前記電線の外周、前記バンド固定部収容孔の経路を通って前記バンド固定部にロックされた。
【００１９】
前記バンド固定部は、前記バンド部が挿入され、且つ、挿入されたバンド部をロックするバンド係止孔を有し、前記バンド部の根本部は、前記バンド係止孔の入口側より出口側に近い位置に固定されることが好ましい。
【発明の効果】
【００２０】
本発明によれば、結束バンドのバンド固定部のバンド部の根本部が固定される以外の部分がバンド固定部収容孔に収容されるため、結束バンドが位置決めされ、且つ、省スペース化が図れる。また、固定部材にはバンド固定部収容孔とバンド挿通孔を設ければ良いため、固定部材の構造が単純である。以上より、結束バンドが位置決めされ、且つ、省スペース化が図れると共に、固定部材の構造が単純である電線固定構造を提供できる。
【図面の簡単な説明】
【００２１】
【図１】本発明の一実施形態を示し、電線固定構造の斜視図である。
【図２】本発明の一実施形態を示し、電線固定構造の断面図である。
【図３】本発明の一実施形態を示し、結束バンドの要部正面図である。
【図４】バンド固定部を電線配策側に配置した第１従来例を示し、電線固定構造の断面図である。
【図５】バンド固定部を電線配策側の反対面側に配置した第１従来例を示し、電線固定構造の断面図である。
【図６】第１従来例を示し、結束バンドの要部正面図である。
【図７】第２従来例を示し、電線固定構造の断面図である。
【図８】第３従来例を示し、（ａ）は電線固定構造の斜視図、（ｂ）は電線固定構造の分解斜視図である。
【発明を実施するための形態】
【００２２】
以下、本発明の一実施形態を図面に基づいて説明する。
【００２３】
図１〜図３は、本発明の一実施形態を示す。図１及び図２に示すように、電線固定構造は、電線Ｗが配策される固定部材１と、この固定部材１に電線Ｗを拘束する結束バンド１０とを備えている。
【００２４】
固定部材１は、プロテクタ、ブラケット等である。固定部材１には、電線Ｗが配策された左右の対向位置で、その一方側にバンド挿通孔２が、他方側にバンド固定部収容孔３がそれぞれ設けられている。バンド挿通孔２とバンド固定部収容孔３は、固定部材１の電線配策面１ａとこれの反対面（以下、電線配策反対面という）１ｂに間隔を置いて開口されている。バンド固定部収容孔３は、結束バンド１０のバンド固定部１２が収容できる寸法である。
【００２５】
結束バンド１０は、帯状のバンド部１１と、このバンド部１１をロックするバンド固定部１２とから構成されている。バンド固定部１２は、バンド部１１が挿入され、且つ、挿入されたバンド部１１をロックするバンド係止孔１３を有する。バンド固定部１２は、四角形のブロック形状である。バンド固定部１２には、バンド部１１の根本部１１ａが固定されている。バンド部１１の根本部１１ａは、図３に示すように、バンド係止孔１３の入口１３ａ側より出口１３ｂ側に近い外面１２ａで、且つ、その端部に固定されている。
【００２６】
例えば、バンド部１１とバンド係止孔１３のロック構造は、バンド部１１の長手方向に連続的に形成された係止溝と、バンド係止孔１３内でバンド部１１に係止可能な係止爪とから構成される。係止溝と係止爪は、バンド係止孔１３の挿入方向への移動では係止解除できて締め付け方向への移動が許容されるが、バンド係止孔１３の引き抜き方向への移動では係止解除できずにその係止位置を保持するよう形成される。
【００２７】
結束バンド１０は、バンド固定部１２がバンド係止孔１３の出口１３ｂ側を先端としてバンド固定部収容孔３に収容されている。結束バンド１０は、バンド部１１の根本部１１ａが電線配策反対面１ｂに突き当たる位置まで収容されている。結束バンド１０は、バンド部１１が電線配策反対面１ｂとバンド挿通孔２と電線Ｗの外周とバンド固定部収容孔３を通る経路で掛け渡されている。このように掛け渡されたバンド部１１は、その先端側１１ｂがバンド固定部１２のバンド係止孔１３に挿入され、ロックされている。
【００２８】
以上説明したように、結束バンド１０のバンド固定部１２がバンド固定部収容孔３に収容されるため、結束バンド１０が位置決めされ、且つ、省スペース化が図れる。また、固定部材１にはバンド挿通孔２とバンド固定部収容孔３を設ければ良いため、固定部材１の構造が単純である。以上より、結束バンド１０が位置決めされ、且つ、省スペース化が図れると共に、固定部材１の構造が単純である電線固定構造を提供できる。
【００２９】
また、バンド部１１の先端側１１ｂは、固定部材１のバンド固定部収容孔３を貫通して電線配策反対面１ｂに直交する方向に引き出され、バンド部１１の引っ張り方向が固定部材１の電線配策反対面１ｂに対して垂直方向となるため、バンド部１１の締め付け作業をバンド自動締め付け具（ガン）を用いて行うことができる。又、バンド切り代方向が一定になる。以上より、バンド締め付け作業性が向上する。
【００３０】
バンド固定部１２は、バンド部１１が挿入され、且つ、挿入されたバンド部１１をロックするバンド係止孔１３を有し、バンド部１１の根本部１１ａは、バンド係止孔１３の入口１３ａ側より出口１３ｂ側に近い位置に固定されている。従って、バンド固定部１２の大部分（バンド部１１の根本部１１ａが固定される以外の部分）をバンド固定部収容孔３に収容することができるため、結束バンド１０の位置決めがより確実になり、しかも、更なる省スペース化になる。
【符号の説明】
【００３１】
１  固定部材
１ａ  電線配策面
１ｂ  電線配策反対面（反対面）
２  バンド挿通孔
３  バンド固定部収容孔
１０  結束バンド
１１  バンド部
１１ａ  根本部
１２  バンド固定部
１３  バンド係止孔
１３ａ  バンド係止孔の入口
１３ｂ  バンド係止孔の出口
Ｗ  電線
【図１】
0005896622.tif 000002
【図２】
0005896622.tif 000003
【図３】
0005896622.tif 000004
【図４】
0005896622.tif 000005
【図５】
0005896622.tif 000006
【図６】
0005896622.tif 000007
【図７】
0005896622.tif 000008
【図８】
0005896622.tif 000009